(57)【要約】【課題】観覧席を自由に移動させることができ、かつ所定位置に設置した観覧席の荷重が集中しない構造の移動式観覧席を提供する。【解決手段】設置面に接するベース１１ｂ上に人を収容するスペースが設けられた観覧席と、この観覧席に連結して観覧席を搬送する搬送装置１０１とによって構成され、前記観覧席のベース１１ｂに係合部３１が設けられ、前記搬送装置１０１は、梃子棒１１０と、この梃子棒１１０の長さ方向の中間部に取り付けられて支点部を形成する車輪１３０とを備え、前記梃子棒１１０は下端の作用部に前記観覧席の係合部に脱着可能に係合される連結部１１２を有し、上端の力点部に把持部が形成されている。【選択図】図６Ａ
2018091048.tif 000002
【特許請求の範囲】
【請求項１】
設置面に接するベース上に人を収容するスペースが設けられた観覧席と、この観覧席に連結して観覧席を搬送する搬送装置とによって構成され、
前記観覧席のベースに係合部が設けられ、
前記搬送装置は、梃子棒と、この梃子棒の長さ方向の中間部に取り付けられて支点部を形成する車輪とを備え、前記梃子棒は下端の作用部に前記観覧席の係合部に脱着可能に係合される連結部を有し、上端の力点部に把持部が形成されていることを特徴とする移動式観覧席。
【請求項２】
前記観覧席の係合部がベースから突出する突起であり、前記突起に係合される搬送装置の連結部が前記突起に外嵌めされる筒状のカラーである請求項１に記載の移動式観覧席。
【請求項３】
前記突起とカラーに連通する孔が穿設され、この孔に係止ピンを挿入することによって観覧席と搬送装置の連結姿勢が保持される請求項２に記載の移動式観覧席。
【請求項４】
前記搬送装置は、梃子棒の支点部に該梃子棒の傾斜姿勢を支持するプレートが取り付けられ、このプレートに車輪が取り付けられている請求項３に記載の移動式観覧席。
【請求項５】
前記プレートの端部が下方に傾斜してペダルが形成されている請求項４に記載の移動式観覧席。
【請求項６】
前記観覧席のベースが四角形であり、前記ベースの四隅に係合部が設けられ、それぞれの係合部に搬送装置が連結される請求項１〜５のうちのいずれか１項に記載の移動式観覧席。
【請求項７】
係合部が設けられた重量物に連結して搬送する搬送装置であり、
下端部に前記重量物の係合部に脱着可能に係合される作用部を有し、上端部を把持部とする梃子棒が、その長さ方向の中間部の支点部に取り付けられた車輪に支持されていることを特徴とする搬送装置。
【発明の詳細な説明】
【技術分野】
【０００１】
本発明は、屋外競技場、体育館、多目的ホール等の所要位置に搬送されて設置される移動式観覧席、および観覧席等の重量物を搬送する搬送装置に関する。
【背景技術】
【０００２】
移動可能な観覧席としては、観覧席に車輪や履帯等の搬送手段を取り付けたものが知られている（特許文献１〜４参照）。
【０００３】
特許文献１に記載された移動式観覧席は、台車上に観覧席を設けて車輪をモーターで駆動し、グラウンドに敷設したガイドに沿って前後方向に移動させる構造である。特許文献２に記載された移動式観覧席は、階段式の観覧席が重合されて収納される観覧席であり、観覧席の支持脚構造体に一対の回転輪とこれらの回転輪に巻き掛けた履帯とによる無限軌道機構を取り付けて観覧席の出し入れを行う構造である。特許文献３に記載された移動式観覧席も階段式観覧席を重合させて収納する構造であり、観覧席の出し入れのために支持フレームにローラが取り付けられている。特許文献４に記載された移動式観覧席は、観覧席の下部フレームに一対のスプロケットを取り付けて無端チェーンを巻き掛けて観覧席を前後に移動させる構造である。
【先行技術文献】
【特許文献】
【０００４】
【特許文献１】特開平１１−１２５０１９号公報
【特許文献２】特開２００１−２６２８４８号公報
【特許文献３】特開２０００−２８２６９８号公報
【特許文献４】特開昭６２−３２１４７号公報
【発明の概要】
【発明が解決しようとする課題】
【０００５】
特許文献１〜４に記載された移動式観覧席は、いずれも観覧席と移動手段が一体であり、観覧席を所定位置に設置した後も観覧席は移動手段によって支持されている。このため、観覧席の荷重が移動手段、例えば、車輪、履帯の回転輪と係合している部分に集中し、しかも観覧席の荷重が長時間これらの部分に集中するので、設置面の芝生等が傷み易いという問題点があった。また、移動手段が常時観覧席を支えているので、移動手段は傷み易く、高い強度が求められる。さらに、設置面に敷設したガイドに車輪を係合させた観覧席は移動範囲がガイドの設置範囲内に限られている。
【課題を解決するための手段】
【０００６】
本発明は、上述した技術背景に鑑み、観覧席を自由に移動させることができ、かつ所定位置に設置した観覧席の荷重を集中させない構造の移動式観覧席を提供し、さらに重量物の搬送に用いる搬送装置の提供を目的とする。
【０００７】
即ち、本発明は下記［１］〜［７］に記載の構成を有する。
【０００８】
［１］設置面に接するベース上に人を収容するスペースが設けられた観覧席と、この観覧席に連結して観覧席を搬送する搬送装置とによって構成され、
前記観覧席のベースに係合部が設けられ、
前記搬送装置は、梃子棒と、この梃子棒の長さ方向の中間部に取り付けられて支点部を形成する車輪とを備え、前記梃子棒は下端の作用部に前記観覧席の係合部に脱着可能に係合される連結部を有し、上端の力点部に把持部が形成されていることを特徴とする移動式観覧席。
【０００９】
［２］前記観覧席の係合部がベースから突出する突起であり、前記突起に係合される搬送装置の連結部が前記突起に外嵌めされる筒状のカラーである前項１に記載の移動式観覧席。
【００１０】
［３］前記突起とカラーに連通する孔が穿設され、この孔に係止ピンを挿入することによって観覧席と搬送装置の連結姿勢が保持される前項２に記載の移動式観覧席。
【００１１】
［４］前記搬送装置は、梃子棒の支点部に該梃子棒の傾斜姿勢を支持するプレートが取り付けられ、このプレートに車輪が取り付けられている前項３に記載の移動式観覧席。
【００１２】
［５］前記プレートの端部が下方に傾斜してペダルが形成されている前項４に記載の移動式観覧席。
【００１３】
［６］前記観覧席のベースが四角形であり、前記ベースの四隅に係合部が設けられ、それぞれの係合部に搬送装置が連結される前項１〜５のうちのいずれか１項に記載の移動式観覧席。
【００１４】
［７］係合部が設けられた重量物に連結して搬送する搬送装置であり、
下端部に前記重量物の係合部に脱着可能に係合される作用部を有し、上端部を把持部とする梃子棒が、その長さ方向の中間部の支点部に取り付けられた車輪に支持されていることを特徴とする搬送装置。
【発明の効果】
【００１５】
上記［１］に記載の移動式観覧席によれば、観覧席の係合部に搬送装置の梃子棒の作用部となる連結部で連結し、てこの原理を利用して小さい力で観覧席を持ち上げることができる。持ち上げた観覧席は車輪を走行させて所望の設置場所まで搬送し、搬送装置を外して観覧席のみがその場所に設置される。設置された観覧席の荷重は設置面に接するベースに分散されるので、設置面の損傷を最小限にとどめることができる。
【００１６】
前記搬送装置は観覧席の搬送時にのみ使用する。前記搬送装置は使用時間が短いので傷みや劣化が少ない。なかでも車輪は観覧席の荷重が集中して傷み易い部分であるが、搬送中の短い時間に荷重を受けるに過ぎないので車輪の傷みや劣化が少ない。また、取り外した搬送装置は別の観覧席の搬送に使用できるので、複数の観覧席を順次搬送して設置することで、少ない台数の搬送装置で大規模の観覧席を構築できる。
【００１７】
上記［２］に記載の移動式観覧席は、観覧席と搬送装置の連結手段が突起とこの突起に外嵌めされる筒状のカラーであるから、連結作業が容易である。
【００１８】
上記［３］に記載の移動式観覧席では、突起とカラーに連通する孔に係止ピンを挿入することによって、観覧席と搬送装置の連結姿勢を安定して保持することができる。
【００１９】
上記［４］に記載の移動式観覧席によれば、プレートによって梃子棒を任意の角度の傾斜姿勢に支持して搬送装置の操作性を高めることができる。
【００２０】
上記［５］に記載の移動式観覧席によれば、ペダルに足を掛けて把持部を操作することができ、搬送装置の操作性を高めることができる。
【００２１】
上記［６］に記載の移動式観覧席では、四角形の観覧席のベースの四隅に搬送装置を連結することによって観覧席の持ち上げ姿勢が安定するので、安全に搬送することができる
上記［７］に記載の搬送装置によれば、梃子棒の作用部を重量物に連結し、この原理を利用して小さい力で重量物を持ち上げ、車輪を走行させて搬送することができる。
【図面の簡単な説明】
【００２２】
【図１】本発明の移動式観覧席の斜視図である。
【図２】観覧席の分解斜視図である。
【図３】観覧席の突起の位置を示す要部平面図である。
【図４Ａ】サイドフレームの突起の周辺を示す拡大図である。
【図４Ｂ】サイドフレームの突起の周辺を示す拡大図である。
【図５】搬送装置の斜視図である。
【図６Ａ】図１の要部拡大図である。
【図６Ｂ】図６Ａにおける６Ｂ−６Ｂ線断面図である。
【図７】観覧席と搬送装置の連結手順を示す模式的説明図である。
【図８】観覧席と搬送装置の配置図である。
【図９Ａ】搬送装置における他の連結部を示す斜視図である。
【図９Ｂ】搬送装置におけるさらに他の連結部を示す斜視図である。
【図１０】観覧席の他の態様を示す側面図である。
【発明を実施するための形態】
【００２３】
図１〜８に、本発明の移動式観覧席の一実施形態を示す。図示例の移動式観覧席１は、４台の５人掛けベンチをひな壇状に設けた観覧席１０と、２種類各２台で合計４台の搬送装置１００、１０１とにより構成されている。前記観覧席１０は運動用グラウンド等の屋外やホールなどの屋内の所要位置に搬送されて設置される。
【００２４】
以下の説明において、観覧席１０における前後左右の方向は、観覧席１０に着席した人の前後左右の方向とし、搬送装置１００、１０１における前後左右の方向は、搬送装置１００、１０１の操作者の前後左右の方向とする。
［観覧席］
図１および図２に示すように、観覧席１０は、各種の支柱と梁等のビーム材で組まれた骨組みに、座板４０、踏み板５０、側面柵６０および背面柵７０が取り付けられている。
【００２５】
前記観覧席１０の骨組みの構造は以下のとおりである。
【００２６】
設置面に接する左サイドフレーム１１ａおよび右のサイドフレーム１１ｂ上に、前方から後方に向かって順に高さが高くなる支柱１２ａ、１２ｂ、１２ｃ、１２ｄが立設され、同じ高さの左右の支柱１２ａ、１２ｂ、１２ｃ、１２ｄがこれらの支柱１２ａ、１２ｂ、１２ｃ、１２ｄと同じ高さに配置された前面梁１３ａ、１３ｂ、１３ｃ、１３ｄで連結されている。また、前後の支柱１２ａと１２ｂは低い方の支柱１２ａと同じ高さに配置された側面梁１４ａで連結され、高い方の左右の支柱１２ｂは側面梁１４ａと同じ高さに配置された後面梁１５ａで連結されている。即ち、支柱１２ａ、前面梁１３ａ、側面梁１４ａ、後面梁１５ａの上面は同じ高さである。さらに、前記前面梁１３ａと後面梁１５ａとが、これらの上面よりも低い位置に配置された２本のつなぎ材１６によって連結されている。同様に、支柱１２ｂと支柱１２ｃが前面梁１３ｂ、側面梁１４ｂ、後面梁１５ｂによって連結され、前面梁１３ｂと後面梁１５ｂとがつなぎ材１６によって連結されている。同様に、支柱１２ｃと支柱１２ｄが前面梁１３ｃ、側面梁１４ｃ、後面梁１５ｃによって連結され、前面梁１３ｃと後面梁１５ｃとがつなぎ材１６によって連結されている。
【００２７】
前記前面梁１３ａ、１３ｂ、１３ｃ、１３ｄのそれぞれの上面に座板取り付け用の４個の円形孔１７が形成されている。前記側面梁１４ａ、１４ｂ、１４ｃのそれぞれの上面に側面柵取り付け用の２個の円形孔１８が形成されている。また、最後部の左右の支柱１２ｄから後方に突出する態様で柵受け部材１９が設けられ、最後部の前面梁１３ｄの中央部において後方に突出する態様で２個の棚受け部材２０が設けられている。前記棚受け部１９、２０は上面に開口する円形孔が設けられている。
【００２８】
図２〜図４Ｂに示すように、前記左サイドフレーム１１ａの内側面の前方部および後方部に、右サイドフレーム１１ｂに向かって水平方向に突出する円柱形の突起３０、３１が形成されている。同様に、前記右サイドフレーム１１ｂの内側面の前方部および後方部に、左サイドフレーム１１ａに水平方向に向かって突出する円柱形の突起３１、３０が形成されている。前記突起３０、３１には上下方向に貫通する孔３２が設けられている。
【００２９】
前記観覧席１０が設置面に接地するのは左右のサイドフレーム１１ａ、１１ｂであり、これらが各種ビーム材で連結されることにより平面視四角形のベースが形成されている。そして、搬送装置１００、１０１を連結する突起３０、３１が四角形のベースの四隅に設けられている。前記突起３０、３１は本発明における観覧席のベースに設けられた係合部に対応する。
【００３０】
上述した骨組みに４０および踏み板５０が取り付けられ、さらに要すれば側面柵６０および背面柵７０が取り付けられる。なお、図２は、４個の座板４０のうちの１個のみを記載し、３個の踏み板５０のうちの１個のみを記載している。
【００３１】
前記座板４０は前後方向の両端にリップ部付フランジを有するチャンネル材からなり、なり、下面に前面梁１３ａ、１３ｂ、１３ｃ、１３ｄの４個の円形孔１７に対応する位置に円柱形の棒状の差込部４１が突設されている。前記座板４０は各前面梁１３ａ、１３ｂ、１３ｃ、１３ｄの円形孔１７に差込部４１を差し込むことによって脱着自在に取り付けられる。４枚の座板４０を４つの高さの異なる前面梁に１３ａ、１３ｂ、１３ｃ、１３ｄに取り付けることによって４段のベンチが形成される。
【００３２】
なお、前記座板４０は、左右方向の寸法が前面梁１３ａ、１３ｂ、１３ｃ、１３ｄとほぼ同じ寸法に形成されて各段に１つの長ベンチを形成しているが、右側２つの円形孔１７と左側２つの円形孔１７のそれぞれに短い座板を取り付けて中央に通路を設けることもできる。
【００３３】
前記踏み板５０は、平面寸法が前面梁１３ａ、１３ｂ、１３ｃ、側面梁１４ａ、１４ｂ、１４ｃおよび後面梁１５ａ、１５ｂ、１５ｃで囲まれる空間の平面寸法に対応し、前記空間に落とし込んだ踏み板５０をつなぎ材１６で受けて支持することによって床面が形成される。また、前記踏み板５０の厚みは前面梁１３ａ、１３ｂ、１３ｃ、側面梁１４ａ、１４ｂ、１４ｃおよび後面梁１５ａ、１５ｂ、１５ｃの上面からつなぎ材１６の上面までの距離に等しく、踏み板５０の上面と各梁１３ａ、１３ｂ、１３ｃ、１４ａ、１４ｂ、１４ｃ、１５ａ、１５ｂ、１５ｃの上面は面一となる。
【００３４】
前記側面柵６０は下端に側面梁１４ａ、１４ｂ、１４ｃの２つの円形孔１８に対応する棒状の差込部６１を有している。前記側面梁１４ａ、１４ｂ、１４ｃの円形孔１８に側面柵６０の差込部６１を差し込むことによって側面柵６０が取り付けられる。図１、２は右側の側面梁１４ａ、１４ｂ、１４ｃにのみ側面柵６０を取り付けた状態を示している。
【００３５】
前記観覧席１０は複数台を左右に並べて設置することができる。このとき、隣接する観覧席１０は側面柵６０を取り付けずに床面を連続させることも、側面柵６０を取り付けて個々の観覧席１０で区切ることもできる。
【００３６】
前記背面柵７０は下端に棚受け部材１９、２０の孔に対応する棒状の差込部７１を有している。前記棚受け部材１９、２０の孔に背面柵７０の差込部７１を差し込むことによって側面柵７０がを取り付けられる。図１は２個の背面柵７０を取り付けた状態を示している。
【００３７】
また、前記突起３０、３１（係合部）はネジ止め等によって左右のサイドフレーム１１ａ、１１ｂ（ベース）に脱着可能に取り付けることもできる。
【００３８】
なお、本発明における観覧席とは、座板や椅子等によって座席を設けたものだけでなく、ベース上に人を収容するスペースが設けられたもの全てを指す。例えば、平台や階段も本発明の観覧席に該当する。また、観覧席に種々の付属品を追加することも自由である。図１０は、前面梁１３ａ、１３ｃに座板４０の代わりにテーブル４３を取り付け、柵受け部材１９を利用して屋根４５を取り付けた例である。前記屋根４５は支柱４６の先端に回動自在に取り付けられている。前記屋根４５は、不使用時は支柱４６に沿って収納されており、使用時は座席側または座席の反対側のどちらに向けてもアーム４７で支持することができる。かかる移動可能な屋根４５は、観覧者用屋根（鎖線）として使用する他、観覧席の背面をグラウンドに向けて設置して監督席等の屋根（実線）として利用できる。また、前記屋根４５の材料としては、ターポリンのような折りたたみ可能なシートや波板等の軽量材が好ましく用いられる。
［搬送装置］
前記観覧席１０の搬送には、観覧席１０の突起３０、３１の突出方向に対応する２種類の搬送装置１００、１０１を用いる。
【００３９】
図５は前記突起３０に連結する搬送装置１００を示している。
【００４０】
前記搬送装置１００は、前記観覧席１０を持ち上げる梃子棒１１０と、この梃子棒１１０の長さ方向の中間部にプレート１２０を介して取り付けられた車輪１３０とを備えている。前記梃子棒１１０は下端部が作用部であり上端部が力点部であり、操作者は力点部側に立って作用部を見る方向で操作するので、搬送装置１００の前後方向は梃子棒の１１０の下端部のある方向が前であり、上端部のある方向が後ろである。また、操作者の左右の方向が搬送装置１００の左右である。
【００４１】
前記梃子棒１１０はほぼ水平に配置されたプレート１２０の一端側において該プレート１２０を斜めに貫通し、前記プレート１２０に取り付けられた車輪１３０によって傾斜姿勢で支持されている。前記車輪１３０は梃子棒１１０の支点部である。前記梃子棒１１０の下端に、梃子棒１１０と直交して水平方向に開口する円筒形のカラー１１１が取り付けられている。前記カラー１１１は梃子棒１１０から左側に大きく突出して、観覧席１０の突起３０に外嵌めにより係合される連結部１１２となされている。前記連結部１１２には、突起３０の孔３１に連通する孔１１３が穿設されている。一方、前記梃子棒１１０の上端部は略垂直に屈曲して把持部１１４となされている。前記車輪１３０は、水平面内で旋回して走行方向が制限されないキャスタであるが、旋回を止めて走行方向を規制することもできる。前記車輪１３０は全てキャスタでもよいが、安定して搬送するには搬送方向前方にキャスタを配置し、後方側に固定輪を配置するのが好ましい。前記プレート１２０は他端側（車輪側）が下向きに傾斜してペダル１２１となされ、このペダル１２１の下端部にコの字形の足掛かり１２２が取り付けられている。また、前記梃子棒１１０とプレート１２０とが交わる隅部に三角形の補強板１２３が取り付けられて、梃子棒１１０の傾斜姿勢を安定させている。前記把持部１１４は梃子棒１１０の力点部であり、前記車輪１３０は梃子棒１１０の支点部である。
【００４２】
また、前記搬送装置１００は、連結部１１２の孔１１３および観覧席１０の突起３０、３１の孔３２に挿入するもので、持ち上げた状態に保持する係止ピン１４０を備えている。前記係止ピン１４０はチェーン１４１でプレート１２０の端部に繋がれている。
【００４３】
前記突起３１に連結する搬送装置１０１は、カラー１１１の右側が連結部１１２となされていることを除いて前記搬送装置１００と同じ構造である。
【００４４】
図８に示すように、観覧席１０の前側と後側に各２台の前記搬送装置１００、１０１が配置され、それぞれの搬送装置１００、１０１の後方に操作者が立つ。即ち、操作者から見て右側に突出する突起３０には左側に連結部１１２を有する搬送装置１００を連結し、操作者から見て左側に突出する突起３１には右側に連結部１１２を有する搬送装置１０１を連結する。図６Ａおよび図６Ｂはに右サイドフレーム１１ｂの後方の突起３１に連結された搬送装置１０１の要部を示している。
【００４５】
なお、図示例の搬送装置１００、１０１は突起３０、３１の突出方向に応じて左右を使い分けているが、梃子棒の左右両側にカラーを突出させて左右両側に連結部を形成すれば左右兼用の搬送装置となる。
［観覧席の搬送と設置］
前記観覧席１０と搬送装置１００、１０１の連結、観覧席１０の搬送および設置について、図６Ａ〜８を参照しつつ説明する。なお、図７は、右サイドフレーム１１ｂの後方の突起３１と搬送装置１０１との連結例を示している。
（１）図７の右側図
観覧席１０は地面Ｇに置かれ、サイドフレーム１１ｂが接地している。搬送装置１０１の梃子棒１１０を前方に傾けて、カラー１１１を下げて連結部１１２を観覧席１０の突起３１の高さに合わせ、連結部１１２を突起３１に外嵌めする。これにより、搬送装置１０１が観覧席１０に仮連結される。
（２）図７の中央図
搬送装置１０１のペダル１２１の足掛かり１２２に足を掛け、梃子棒１１０の把持部１１４を手前に引き、てこの原理により、車輪１３０を支点として梃子棒１１０の作用部である連結部１１２を上げる。これにより観覧席１０が地面Ｇから持ち上げられる。てこの原理により、人力の小さい力で重量の観覧席１０を持ち上げることができる。
（３）図７の左側図
観覧席１０を持ち上げた状態で、梃子棒１１０の連結部１１２の孔１１３と観覧席１０の突起３１の孔３２を連通させて係止ピン１４０を挿入する（図６Ａ、図６Ｂ参照）。前記係止ピン１４０の挿入により連結部１１２の空回りを阻止して連結状態を安定して保持できる。
前記突起３０、３１に連結部１１２を外嵌めする連結構造はビス留めなどの締結作業を必要とせず、連結作業を簡単に行える、また、突起３０、３１と連結部１１２に連通する孔３２、１１３に係止ピン１４０の差し込むという簡単作業で連結力を高めることができる。
（４）図８
他の３箇所の突起３０、３１にも同じ要領で搬送装置１００、１０１を連結して観覧席１０を四隅で持ち上げる。観覧席１０持ち上げた状態で、搬送装置１００、１０１の梃子棒の把持部１１４を掴んで引っ張りあるいは押して車輪１３０を走行させて設置位置まで搬送する。前記車輪１３０は自在車輪であるからどの方向にも走行可能であるが、車輪１３０の旋回を止めて一定方向に走行させることもできる。
（５）観覧席１０を設置場所まで搬送したら、搬送装置１００、１０１の係止ピン１４０を抜いて搬送装置１００、１０１の連結部１１２と観覧席１０の突起３０、３１の連結保持を解除する。連結を解除すると、観覧席１０の自重で下がって着地する。そして、梃子棒１１０の連結部１１２の突起３０、３１から外して観覧席１０から搬送装置１００、１０１を取り外す。
【００４６】
観覧席１０の使用が終われば、同じ要領で搬送装置１００、１０１を取り付けて保管場所に搬送して搬送装置１００、１０１を取り外す。
【００４７】
搬送中の観覧席１０は持ち上げられて搬送装置１００、１０１の車輪１３０のみが接地しているが、観覧席１０の設置後は左右のサイドフレーム１１ａ、１１ｂの下面で接地する。搬送中の観覧席１０の荷重は車輪１３０に集中するが、設置後は車輪１３０よりも広い面積のサイドフレーム１１ａ、１１ｂに荷重が分散される。このため、芝生や床面等の設置面の損傷を最小限にとどめることができる。
【００４８】
前記搬送装置１００、１０１は観覧席１０の搬送時にのみ使用し、前記観覧席１０の設置中および保管中は使用しない。前記搬送装置１００、１０１は使用時間が短いので傷みや劣化が少ない。なかでも車輪１３０は観覧席１０の荷重が集中して傷み易い部分であるが、搬送中の短い時間に荷重を受けるに過ぎないので傷みや劣化が少ない。また、取り外した搬送装置１００、１０１は別の観覧席１０の搬送に使用できるので、複数の観覧席１０を順次搬送して設置することで、少ない台数の搬送装置１００、１０１で大規模の観覧席を構築できる。
【００４９】
前記突起３０、３１の突出方向は図示例の水平方向に限定されず、上方や斜め上方に突出する突起も本発明の技術的範囲に含まれる。ただし、水平方向の突起３０、３１に対してはカラー１１１（連結部１１２）をスライドさせて係合できるので、連結作業が簡単であり、好ましい突出方向である。なお、本発明における観覧席と搬送装置の連結手段は突起とカラーの組み合わせに限定されず、他の連結手段に変更することができる。他の連結手段として、観覧席に設けた突起（係合部）と、この突起を下からすくい上げる連結部の組み合わせを例示できる。図９Ａは、梃子棒１１０の先端に突起をすくい上げるブロック形の連結部１５０を取り付けた例である、前記連結部１５０の上面には、円柱状の突起３０、３１（図４Ａおよび図４Ｂ参照）に対応する断面半円形の溝１５１が設けられ、溝底に突起３０、３１の孔３２に連通する孔１５２が穿たれている。前記連結部１５０をスライドさせて溝１５１に突起３０、３１を嵌め込み、下からすくい上げるようにして観覧席を持ち上げ、突起３０、３１と連結部１５０連通する孔３２、１５１に係止ピン１４０の差し込む。また、図９Ｂは上面がフラットな連結部１５５であり、前記連結部１５５の先端にはすくい上げた突起３０、３１の落下を防ぐ凸部１５６が形成され、上面には突起３０，３１の孔３２に連通して係止ピン１４０を挿入する孔１５７が設けられている。
【００５０】
上述したように、突起をすくい上げるタイプの連結部では、突起の形状と連結部の形状の組み合わせに制限が少なく汎用性が高い。勿論、図示した円柱形以外の形状の突起を前記連結部１５０、１５５ですくい上げることもできる。すくい上げるタイプの連結部において連結状態の安定性を高める方法として、図９Ａの連結部１５０のように突起３０、３１の形状に対応する溝１５１を挙げることができる。また、図９Ｂの溝１５１の無い連結部１５５でも係止ピン１４０を用いることで連結状態を安定させることができる。
【００５１】
前記車輪１３０はプレート１２０を介することなく梃子棒１１０に直接取り付けることも可能である。しかし、図示例のようなプレート１２０を用いればプレート１２０に対する梃子棒１１０の取り付け角度によって梃子棒１１０を任意の角度の傾斜姿勢に支持することができ、連結部１１２を観覧席１０の突起３０、３１に近づけ、把持部１１４を握り易い高さになるように傾斜角度を設定することによって、搬送装置１００、１０１の操作性を高めることができる。また、プレート１２０の後方部をペダル１２１として利用でき、ペダル１２１に足を掛けて把持部１１４を引くと力を入れ易いといった操作性を高める効果もある。搬送装置の車輪の数は限定されず、複数の車輪を並列または直列に取り付けることができる。
【００５２】
また、本発明は、１つの観覧席に連結する搬送装置の数を定めるものではなく、観覧席の寸法や重量に応じて自由に増減できる。図示例の観覧席１０はベースが四角形であり、四隅に搬送装置１００、１０１を連結して観覧席１０を持ち上げると観覧席１０の持ち上げ姿勢が安定するので、安全に搬送することができる。もとより、観覧席はベースに係合部が設けられていれば搬送装置を連結できるので、観覧席の形態や座席数は限定されない。一つの観覧席に連結する搬送装置の数や連結位置は観覧席の形態や重量等応じて適宜設定できる。また、観覧席の安定搬送に適した連結位置に係合部を設けると設置後に係合部が邪魔になる場合は、脱着可能な係合部を採用して搬送後に係合部を取り外すようにすることもできる。
【００５３】
さらに、前記搬送装置は観覧席以外の重量物の搬送にも使用できる。搬送される重量物に突起等の係合部があれば搬送装置の連結部に係合させることができるので、図示例の観覧席と同様に、てこの原理で重量物を持ち上げて車輪の走行によって搬送することができる。前記重量物として、球技のゴール、機械類、舞台、階段等を例示できる。また、前記ゴールにおいて設置面に接するべースに対応するのはゴールポストであり、ゴールポストに係合部を設けて搬送装置を連結することになる。しかし、ゴールポストに係合部が突出していると、例え競技の妨げにならない位置に取り付けたとしても危険であり好ましくない。このような場合は、係合部をネジ止め等によって脱着可能にしておき、搬送時に係合部を取り付けるようにする。その他の重量物も同様であり、設置後に邪魔になる場合は脱着自在の係合部を用いる。
【産業上の利用可能性】
【００５４】
本発明は観覧席等の重量物の搬送に利用できる。
【符号の説明】
【００５５】
１…移動式観覧席
１０…観覧席
１１ａ左サイドフレーム（ベース）
１１ｂ右サイドフレーム（ベース）
３０、３１…突起（係合部）
３２…孔
１００、１０１…搬送装置
１１０…梃子棒
１１１…カラー（作用部）
１１２…連結部
１１３…孔
１１４…把持部（力点部）
１２０…プレート
１２１…ペダル
１３０…車輪（支点部）
１４０…係止ピン
Ｇ…設置面
【図１】
2018091048.tif 000003
【図２】
2018091048.tif 000004
【図３】
2018091048.tif 000005
【図４Ａ】
2018091048.tif 000006
【図４Ｂ】
2018091048.tif 000007
【図５】
2018091048.tif 000008
【図６Ａ】
2018091048.tif 000009
【図６Ｂ】
2018091048.tif 000010
【図７】
2018091048.tif 000011
【図８】
2018091048.tif 000012
【図９Ａ】
2018091048.tif 000013
【図９Ｂ】
2018091048.tif 000014
【図１０】
2018091048.tif 000015